(57)【特許請求の範囲】
【請求項１】
遊技媒体を複数の貸出レートで払い出す遊技媒体管理システムであって、
管理装置は、
再プレイ手数料および遊技媒体価値の交換率を含んだ再プレイ情報を前記貸出レートごとに記憶する再プレイ情報記憶手段と、
再プレイ時における前記遊技媒体価値の引落分に対する前記再プレイ手数料の割合を示す再プレイ手数料率を算出し、かつ、前記遊技媒体価値の交換率に基づいて交換手数料率を算出する手数料率算出手段と、
前記再プレイ手数料率および前記交換手数料率に基づいて所定の前記遊技媒体価値における再プレイ可能遊技媒体数および交換遊技媒体数を前記貸出レートごとに試算したうえで、当該再プレイ可能遊技媒体数と当該交換遊技媒体数とを対比することによって再プレイ時における遊技店の損得を明示した試算画面を生成する試算画面生成手段と
を備えたことを特徴とする遊技媒体管理システム。
【請求項２】
前記管理装置は、
前記再プレイ手数料の設定履歴を含む実績情報を記憶する実績情報記憶手段と、
前記試算画面における前記再プレイ手数料率の再入力を受け付ける場合に、当該再プレイ手数料率の適正値指標を前記実績情報に基づいて表示する指標表示手段と
をさらに備えたことを特徴とする請求項１に記載の遊技媒体管理システム。
【請求項３】
前記管理装置は、
前記試算画面における前記再プレイ手数料率の再入力を受け付けた場合に、当該再プレイ手数料率を前記再プレイ手数料へ換算したうえで当該再プレイ手数料を前記再プレイ情報の所定の位置へ再設定する再設定手段
をさらに備えたことを特徴とする請求項１に記載の遊技媒体管理システム。
【請求項４】
前記試算画面生成手段は、
前記再プレイ可能遊技媒体数が前記交換遊技媒体数を上回る場合には、当該再プレイ可能遊技媒体数に対応する前記再プレイ手数料率の文字色あるいは背景色を所定の明示色で表示し、前記再プレイ可能遊技媒体数が前記交換遊技媒体数を下回る場合には、当該再プレイ可能遊技媒体数に対応する前記再プレイ手数料率の文字色あるいは背景色を前記明示色とは異なる色で表示する試算画面を生成することを特徴とする請求項１に記載の遊技媒体管理システム。
【請求項５】
前記管理装置と通信するとともに遊技台に対応して設けられる台間装置または前記管理装置と通信するとともに再プレイを受け付ける再プレイ装置は、
前記再プレイ情報に含まれる再プレイの上限玉数および前記再プレイ手数料がかからない玉数を報知する報知手段を備え、
前記管理装置は、
前記台間装置または前記再プレイ装置から前記遊技客による再プレイの乗り入れ要求を受け付けた場合に、当該乗り入れ要求に含まれる前記遊技客の乗り入れ元口座と当該台間装置または当該再プレイ装置が属する前記貸出レートに対応する乗り入れ先口座との組み合わせに合致する前記再プレイ情報を当該台間装置または当該再プレイ装置へ通知する通知手段
をさらに備えたことを特徴とする請求項１〜４のいずれか一つに記載の遊技媒体管理システム。
【発明の詳細な説明】
【技術分野】
【０００１】
本発明は、複数の貸出レートによる遊技媒体の払い出しを管理する遊技媒体管理システムに関し、特に、複数レート運用における乗り入れを考慮した再プレイ手数料の設定を、設定ミスを防止しつつ適正に行うことができる遊技媒体管理システムに関する。
【背景技術】
【０００２】
従来、パチンコ店などの遊技店に設置されるパチンコ機やパチスロ機といった遊技機と併設され、紙幣や硬貨といった貨幣を受け付けてパチンコ玉やメダルなどの遊技媒体を貸し出す、いわゆる「台間装置」が知られている。また、遊技機において遊技客が獲得した遊技媒体の数量を各台間装置と接続された計数部が計数する、いわゆる各台計数方式も知られてきた（たとえば、特許文献１参照）。
【０００３】
かかる各台計数方式に対応した台間装置では、計数部に投入された遊技媒体の数量（以下、「計数値」と記載する）を計数し、ＩＣ（Integrated  Circuit）カードなどの情報記憶が可能なカードに対して計数値を関連付ける。ここで、カードに関連付けられた計数値のことを「持玉価値」と呼ぶこととする。かかるカードを用いることで、遊技客は遊技媒体を持ち歩くことなく他の遊技台で遊技を継続することができる。
【０００４】
また、遊技店の会員に対して発行される会員カードを利用すると、会員は、いわゆる「貯玉サービス」を受けることが可能となる。ここで、貯玉サービスとは、上記した持玉価値を遊技店へ預け入れ、預け入れた価値を翌日以降の来店時に使用することができるサービスのことを指す。
【０００５】
なお、持玉価値を預け入れられた遊技店側では、遊技客が会員である場合に限り、持玉価値を「貯玉価値」へ移行するとともに、会員によって「貯玉価値」が使用される場合には、所定の手数料を徴収することが一般的である。ここで、会員が「貯玉価値」を使用して遊技媒体へ交換する行為は「再プレイ」と、かかる再プレイの際に徴収する手数料は「再プレイ手数料」と、それぞれ呼ばれている。
【０００６】
ところで、近年、遊技媒体１個あたりの単価（以下、「レート」と記載する）を、同一遊技店内において複数種類用いる運用も行われてきている。たとえば、パチンコ玉１玉を１円で貸し出す１円コーナーや４円で貸し出す４円コーナーなどを併設した運用（以下、「複数レート運用」と記載する）を行う遊技店も増加してきた。
【０００７】
このような複数レート運用を行うために、所定のレート（たとえば、１円レート）の貯玉を、異レート（たとえば、４円レート）の遊技台で払い出す、いわゆる「再プレイの乗り入れ」を行うことができる「遊技媒体管理システム」が提案されている。
【０００８】
かかる遊技媒体管理システムでは、所定のレートの貯玉が異レートの遊技台で払い出される場合には、貯玉が属するレートに応じた再プレイ手数料を徴収し、徴収後に遊技媒体数の換算処理を行っている。
【０００９】
たとえば、１円レートの再プレイ手数料率が貯玉数の２０％であり、４円レートの再プレイ手数料が無料である場合、１円レートの貯玉１０００玉を、１円レートの遊技台で使用する場合には、遊技客は、８００玉（１０００玉−１０００玉×２０％）の払い出しを受けることができる。
【００１０】
これに対し、１円レートの貯玉１０００玉を、４円レートの遊技台で使用する場合には、遊技客は、２００玉（（１０００玉−１０００玉×２０％）／４）の払い出しを受けることができる。なお、「４」で除するのは、１玉あたり１円の遊技媒体の数を、１玉あたり４円の遊技媒体の数へ換算するためである。
【００１１】
このように、上記した遊技媒体管理システムでは、払出先のレートに関わらず、貯玉が属するレートの再プレイ手数料をあらかじめ徴収する。なお、かかる再プレイ手数料は、遊技媒体管理システムに含まれる管理装置においてレートごとに管理されており、ホールスタッフ内の管理権限を有する設定者によって登録あるいは更新される。
【００１２】
また、再プレイ手数料は、慣例的に、たとえば、払出単位２５０玉あたり５０玉というように玉数ベースで管理される。そして、上記した再プレイ手数料率は、引落数（ここでは、払出単位＋再プレイ手数料）に対する再プレイ手数料の割合として算出される。したがって、かかる場合、再プレイ手数料率は、１６．７％（≒５０玉／（２５０玉＋５０玉））となる。
【先行技術文献】
【特許文献】
【００１３】
【特許文献１】特開２００７−２２９１１１号公報
【発明の概要】
【発明が解決しようとする課題】
【００１４】
しかしながら、上記した遊技媒体管理システムには、レートごとに異なる特殊景品交換率を適用する運用を行う場合に、設定者の意図に沿った再プレイ手数料の設定を行いづらいという問題があった。ここで、特殊景品交換率とは、貯玉から、貯玉を現金への交換が可能な特殊景品へ交換する際の景品交換手数料を差し引いた価値の、貯玉全体に対する比率を指す。
【００１５】
たとえば、４円レートの特殊景品交換率が１００％（等価交換）、１円レートの特殊景品交換率が５０％であり、再プレイ手数料率については、４円レートについては０％、１円レートについては２０％である場合について説明する。
【００１６】
この場合に、たとえば、１円レートの貯玉１０００玉を特殊景品に交換して現金化したうえで４円レートによる遊技媒体の貸し出しを受けた場合、遊技店側が得られる手数料（景品交換手数料）は、５００円（１０００玉×１円×（１００％−５０％））となる。これに対し、１円レートの貯玉１０００玉を４円コーナーへ乗り入れた場合、遊技店側が得られる手数料（再プレイ手数料）は２００円（１０００玉×１円×２０％）となる。つまり、乗り入れが行われた場合、遊技店側にとっては不利な結果となる。
【００１７】
したがって、設定者は、遊技店側の利益を損ねることのないように、各レートにおける特殊景品交換率と再プレイ手数料率とのかね合いを総合的に判断しつつ、適正な再プレイ手数料を設定する必要があった。しかしながら、複数レート運用によって複雑化した設定作業は時間がかかるうえ、設定ミスを誘発する可能性も高かった。
【００１８】
これらのことから、複数レート運用における乗り入れを考慮した再プレイ手数料の設定を、設定ミスを防止しつつ適正に行うことができる遊技媒体管理システムをいかにして実現するかが大きな課題となっている。
【００１９】
本発明は、上述した従来技術による問題点を解消するためになされたものであって、複数レート運用における乗り入れを考慮した再プレイ手数料の設定を、設定ミスを防止しつつ適正に行うことができる遊技媒体管理システムを提供することを目的とする。
【課題を解決するための手段】
【００２０】
上述した課題を解決し、目的を達成するため、本発明は、遊技媒体を複数の貸出レートで払い出す遊技媒体管理システムであって、管理装置は、再プレイ手数料および遊技媒体価値の交換率を含んだ再プレイ情報を前記貸出レートごとに記憶する再プレイ情報記憶手段と、再プレイ時における前記遊技媒体価値の引落分に対する前記再プレイ手数料の割合を示す再プレイ手数料率を算出し、かつ、前記遊技媒体価値の交換率に基づいて交換手数料率を算出する手数料率算出手段と、前記再プレイ手数料率および前記交換手数料率に基づいて所定の前記遊技媒体価値における再プレイ可能遊技媒体数および交換遊技媒体数を前記貸出レートごとに試算したうえで、当該再プレイ可能遊技媒体数と当該交換遊技媒体数とを対比することによって再プレイ時における遊技店の損得を明示した試算画面を生成する試算画面生成手段とを備えたことを特徴とする。
【００２１】
また、本発明は、上記の発明において、前記管理装置は、前記再プレイ手数料の設定履歴を含む実績情報を記憶する実績情報記憶手段と、前記試算画面における前記再プレイ手数料率の再入力を受け付ける場合に、当該再プレイ手数料率の適正値指標を前記実績情報に基づいて表示する指標表示手段とをさらに備えたことを特徴とする。
【００２２】
また、本発明は、上記の発明において、前記管理装置は、前記試算画面における前記再プレイ手数料率の再入力を受け付けた場合に、当該再プレイ手数料率を前記再プレイ手数料へ換算したうえで当該再プレイ手数料を前記再プレイ情報の所定の位置へ再設定する再設定手段をさらに備えたことを特徴とする。
【００２３】
また、本発明は、上記の発明において、前記試算画面生成手段は、前記再プレイ可能遊技媒体数が前記交換遊技媒体数を上回る場合には、当該再プレイ可能遊技媒体数に対応する前記再プレイ手数料率の文字色あるいは背景色を所定の明示色で表示し、前記再プレイ可能遊技媒体数が前記交換遊技媒体数を下回る場合には、当該再プレイ可能遊技媒体数に対応する前記再プレイ手数料率の文字色あるいは背景色を前記明示色とは異なる色で表示する試算画面を生成することを特徴とする。
【００２４】
また、本発明は、上記の発明において、前記管理装置と通信するとともに遊技台に対応して設けられる台間装置または前記管理装置と通信するとともに再プレイを受け付ける再プレイ装置は、前記再プレイ情報に含まれる再プレイの上限玉数および前記再プレイ手数料がかからない玉数を報知する報知手段を備え、前記管理装置は、前記台間装置または前記再プレイ装置から前記遊技客による再プレイの乗り入れ要求を受け付けた場合に、当該乗り入れ要求に含まれる前記遊技客の乗り入れ元口座と当該台間装置または当該再プレイ装置が属する前記貸出レートに対応する乗り入れ先口座との組み合わせに合致する前記再プレイ情報を当該台間装置または当該再プレイ装置へ通知する通知手段をさらに備えたことを特徴とする。
【発明の効果】
【００２５】
本発明によれば、管理装置は、再プレイ手数料および遊技媒体価値の交換率を含んだ再プレイ情報を貸出レートごとに記憶し、再プレイ時における遊技媒体価値の引落分に対する再プレイ手数料の割合を示す再プレイ手数料率を算出し、かつ、遊技媒体価値の交換率に基づいて交換手数料率を算出し、再プレイ手数料率および交換手数料率に基づいて所定の遊技媒体価値における再プレイ可能遊技媒体数および交換遊技媒体数を貸出レートごとに試算したうえで、再プレイ可能遊技媒体数と交換遊技媒体数とを対比することによって再プレイ時における遊技店の損得を明示した試算画面を生成することとしたので、複数レート運用における乗り入れを考慮した再プレイ手数料の設定を、設定ミスを防止しつつ適正に行うことができるという効果を奏する。
【００２６】
また、本発明によれば、管理装置は、再プレイ手数料の設定履歴を含む実績情報を記憶し、試算画面における再プレイ手数料率の再入力を受け付ける場合に、かかる再プレイ手数料率の適正値指標を実績情報に基づいて表示することとしたので、設定者による設定ミスを防止しつつ適正な再プレイ手数料の設定を行うことができるという効果を奏する。
【００２７】
また、本発明によれば、管理装置は、試算画面における再プレイ手数料率の再入力を受け付けた場合に、かかる再プレイ手数料率を再プレイ手数料へ換算したうえでかかる再プレイ手数料を再プレイ情報の所定の位置へ再設定することとしたので、試算画面を参照しつつ適正な再プレイ手数料の設定を行うことができるという効果を奏する。
【００２８】
また、本発明によれば、再プレイ可能遊技媒体数が交換遊技媒体数を上回る場合には、かかる再プレイ可能遊技媒体数に対応する再プレイ手数料率の文字色あるいは背景色を所定の明示色で表示し、再プレイ可能遊技媒体数が交換遊技媒体数を下回る場合には、かかる再プレイ可能遊技媒体数に対応する再プレイ手数料率の文字色あるいは背景色を明示色とは異なる色で表示する試算画面を生成することとしたので、設定した再プレイ手数料が適正であるか否かを設定者が容易に確認することができ、再プレイ手数料の設定作業の煩雑さを解消することができるという効果を奏する。
【００２９】
また、本発明によれば、管理装置と通信するとともに遊技台に対応して設けられる台間装置または管理装置と通信するとともに再プレイを受け付ける再プレイ装置は、再プレイ情報に含まれる再プレイの上限玉数および再プレイ手数料がかからない玉数を報知する報知手段を備え、管理装置は、台間装置または再プレイ装置から遊技客による再プレイの乗り入れ要求を受け付けた場合に、かかる乗り入れ要求に含まれる遊技客の乗り入れ元口座と台間装置または再プレイ装置が属する貸出レートに対応する乗り入れ先口座との組み合わせに合致する再プレイ情報を台間装置または再プレイ装置へ通知することとしたので、再プレイの乗り入れにおける遊技客の利便性を向上させることができるという効果を奏する。
【図面の簡単な説明】
【００３０】
【図１】図１は、本発明に係る遊技媒体管理手法の概要を示す図である。
【図２】図２は、本実施例に係る貸出処理機および管理装置が接続されるネットワーク環境を示す図である。
【図３】図３は、貸出処理機の外観図である。
【図４】図４は、管理装置の構成を示すブロック図である。
【図５】図５は、再プレイ情報登録部における再プレイ情報登録処理を説明するための図である。
【図６】図６は、再プレイ手数料率および景品交換手数料率の関連を説明するための図である。
【図７】図７は、試算画面の表示例を示す図である。
【図８】図８は、再プレイ手数料率を入力する際の入力支援例を示す図である。
【図９】図９は、乗り入れ元口座の引落数を確認する引落数確認画面の例を示す図である。
【図１０】図１０は、口座別再プレイ情報の変形例を示す図である。
【図１１】図１１は、本実施例に係る管理装置が実行する処理手順を示すフローチャートである。
【発明を実施するための形態】
【００３１】
以下に、添付図面を参照して、本発明に係る遊技媒体管理システムの好適な実施例を詳細に説明する。なお、以下では、本発明に係る遊技媒体管理手法の概要について図１を用いて説明した後に、本発明に係る遊技媒体管理手法を適用した遊技媒体管理システムについての実施例を図２〜図１１を用いて説明することとする。
【００３２】
また、以下では、遊技媒体を貸し出す貸出処理機が、遊技店のパチンコ機やパチスロ機といった遊技台に併設される台間装置あるいは遊技島の島端に設置される再プレイ機である場合について説明する。また、以下では、遊技台がパチンコ機であり、遊技媒体がパチンコ玉である場合について説明する。
【００３３】
また、以下における用語の定義として、乗り入れを伴う再プレイ時にパチンコ玉の貸し出しを受けた際、かかる貸し出し分に相当する有価価値が引き落とされる口座を「乗り入れ元口座」と記載することとする。また、これに対し、乗り入れを伴う再プレイ時に遊技島のレートに合致するレートの口座を「乗り入れ先口座」と記載することとする。
【００３４】
なお、以下では、４円レートおよび１円レートの２レート運用を例に挙げて説明を行うが、３レート以上の運用に対しても本発明を適用することができる。
【００３５】
まず、実施例の詳細な説明に先立って、本発明に係る遊技媒体管理手法の概要について、図１を用いて説明する。図１は、本発明に係る遊技媒体管理手法の概要を示す図である。
【００３６】
図１に示すように、本発明に係る遊技媒体管理手法は、複数レート運用における乗り入れを考慮した再プレイ手数料の設定値について、所定の条件における試算画面を表示することとしたうえで、遊技店側にとって適正な設定値であるか否かを明示することとした点に主たる特徴がある。かかる特徴について、以下、具体的に説明する。
【００３７】
同図の（１）に示すように、複数レート運用における乗り入れを考慮した再プレイに関する情報の設定は、乗り入れ元口座ごとに、乗り入れ先口座とのすべての組み合わせについて個別に行われる。
【００３８】
ここで、同図の（１）に示すように、再プレイに関する情報には、再プレイ時の払出単位が格納される「払出単位」項目や、払出単位あたりの再プレイ手数料の玉数が格納される「手数料」項目が含まれる。なお、かかる再プレイに関する情報は、慣例的に玉数ベースで設定される。
【００３９】
また、同図の（１）に示すように、各乗り入れ元口座には、貸出レートである「単価」や、特殊景品などとの交換率である「特殊景品交換率」が設定される。たとえば、同図の（１）には、口座１が４円レートで特殊景品交換率１００％の口座であり、口座２が１円レートで特殊景品交換率５０％の口座である場合を示している。
【００４０】
しかしながら、このように、乗り入れ元口座ごとに乗り入れ先口座とのすべての組み合わせについて個別に設定を行う場合、設定項目数が多いため、設定者による設定ミスを誘発しやすかった。
【００４１】
また、設定項目数の多さに加えて、設定項目の単位も一律ではないため、設定者にとっては各項目の関連性が把握しづらかった。このため、遊技店側の利益を損ねない適正な設定値であるか否かを判別しにくかった。
【００４２】
そこで、同図の（２）に示すように、本発明に係る遊技媒体管理手法では、乗り入れの組み合わせ（以下、「乗り入れパターン」と記載する）ごとの「再プレイ手数料率」と、乗り入れ元口座の「景品交換手数料率」とを算出することとした。そして、同図の（３）に示すように、算出した両比率を比較して、適正な設定値であるか否かを判別することとした。
【００４３】
なお、同図の（３）には、乗り入れ元口座が口座２であり、乗り入れ先口座が口座１である場合の両比率（同図の（２）に示した破線の閉曲線１に囲まれた部分参照）の比較結果が「景品交換手数料率＞再プレイ手数料率」であることを示している。この場合、かかる乗り入れパターンで遊技客が乗り入れを行うと遊技店側にとっては不利となるが、この点の詳細については、図６を用いて後述する。
【００４４】
そして、同図の（４）に示すように、本発明に係る遊技媒体管理手法では、算出した「再プレイ手数料率」および「景品交換手数料率」を用いて所定の条件における試算画面を表示することとした。
【００４５】
たとえば、同図の（４）には、所定の条件が「乗り入れ元口座残高＝１０００玉」（図示せず）である場合に、口座２から口座１への乗り入れパターンにおいては、「再プレイ手数料率」は「１６．７％」であり、「再プレイ可能数」は「２０８玉」であり、「交換後貸出可能数」は「１２５玉」であることを試算表示した「乗り入れ手数料試算画面（口座２→口座１）」を示している。
【００４６】
なお、「再プレイ可能数」は、乗り入れ元口座残高から再プレイ手数料を差し引いた残高を乗り入れ先口座のレートに換算した玉数のことを指す。また、「交換後貸出可能数」は、乗り入れ元口座残高をすべて特殊景品へ交換した場合の交換価値を用いて乗り入れ先口座のレートで貸し出しを受けられる玉数のことを指す。
【００４７】
ここで、同図の（４）に示すように、本発明に係る遊技媒体管理手法では、再プレイ手数料の設定値が遊技店側にとって不利なものであれば、かかる旨を「再プレイ手数料率」項目を強調して明示する。たとえば、同図の（４）には、再プレイ手数料率である「１６．７％」が表示されている入出力項目２を点滅表示させた例を示している。なお、かかる明示に関する詳細については、図７を用いて後述する。
【００４８】
また、同図の（４）では、特定の乗り入れパターンの試算画面例である「乗り入れ手数料試算画面（口座２→口座１）」を示しているが、すべての乗り入れパターンについての試算結果を併せて表示することとしてもよい。かかる場合については、図７を用いて後述する。
【００４９】
そして、同図の（５）に示すように、本発明に係る遊技媒体管理手法では、設定者が入出力項目２に対して「再プレイ手数料率」を再入力したうえで更新操作を行った場合に、同図の（６）に示すように、対応する「手数料」項目を玉数ベースで更新することとした（破線の閉曲線３で囲まれた部分参照）。なお、同図の（６）は、同図の（１）に示した再プレイに関する情報のうち、口座２についての情報のみを抽出して示している。
【００５０】
たとえば、同図の（５）に示すように、設定者が、入出力項目２の値を「１６．７％」から「５０％」へと再入力したうえで「更新」ボタンを押下した場合、同図の（６）に示すように、口座２から口座１への乗り入れパターンにおける「手数料」は、再プレイ手数料をｘとしたときの「ｘ／（２５０＋ｘ）＝５０％」を満たす解である「２５０玉」へと更新される。
【００５１】
このとき、「乗り入れ手数料試算画面（口座２→口座１）」についても更新表示が行われる。かかる点の詳細については、図７を用いて後述する。また、同図の（５）に示したように、設定者が再プレイ手数料率の再入力を行う際、入力ミスを防止しつつ適正な値を入力できるように入力支援を行うこととしてもよい。かかる点については、図８を用いて後述する。
【００５２】
このように、本発明に係る遊技媒体管理手法によれば、複数レート運用における乗り入れを考慮した再プレイ手数料の設定値について、所定の条件における試算画面を表示することとしたうえで、遊技店側にとって適正な設定値であるか否かを明示することとしたので、再プレイ手数料の設定を、設定ミスを防止しつつ適正に行うことができる。
【００５３】
以下では、図１を用いて説明した遊技媒体管理手法を適用した遊技媒体管理システムについての実施例を詳細に説明する。
【実施例】
【００５４】
まず、本実施例に係る貸出処理機および管理装置が接続されるネットワーク環境について図２を用いて説明する。図２は、本実施例に係る貸出処理機および管理装置２００が接続されるネットワーク環境を示す図である。
【００５５】
同図に示すように、遊技台１００ごとに併設される台間装置１０ａおよび遊技島ごとに設置される再プレイ機１０ｂは、店舗内ＬＡＮ（Local  Area  Network）２０などのネットワーク経由で、管理装置２００、島コントローラ３００、精算機４００、景品管理機５００、カード処理機６００、景品払出機７００といった各装置と接続されている。
【００５６】
ここで、島コントローラ３００は、貸出処理機である台間装置１０ａおよび再プレイ機１０ｂが設置される遊技島ごとに設けられる中継装置であり、たとえば、管理装置２００／台間装置１０ａ間あるいは管理装置２００／再プレイ機１０ｂ間などの通信データを中継する。
【００５７】
また、同図に示すように、遊技台１００、台間装置１０ａ、再プレイ機１０ｂといった遊技島を構成する各装置には、遊技島ごとの所定の貸出レートが設定される。すなわち、同図に示す４円コーナー３００ａを構成する台間装置１０ａ、再プレイ機１０ｂといった各装置には１玉４円の貸出レートが、また、１円コーナー３００ｂを構成する各装置には１玉１円の貸出レートが、それぞれ設定される。
【００５８】
また、同図に示すように、管理装置２００は、口座ごとの単価を管理するデータベース（以下、「ＤＢ」と記載する）である単価情報ＤＢ２１１を有している。また、管理装置２００は、乗り入れ元となる口座ごとに、乗り入れ先となるすべての口座についての再プレイ手数料などを登録した再プレイ情報ＤＢ２１２を有している。なお、かかる単価情報ＤＢ２１１および再プレイ情報ＤＢ２１２については、図５を用いて後述する。
【００５９】
また、図２に示すように、管理装置２００は、会員の貯玉を管理するＤＢである貯玉ＤＢ２１３を有している。そして、貯玉ＤＢ２１３は、４円貯玉ＤＢ２１３ａ、１円貯玉ＤＢ２１３ｂといった、会員が遊技を行った遊技島の貸出レートごとの貯玉ＤＢによって構成される。なお、貸出レートごとの貯玉ＤＢを、単一の貯玉ＤＢ２１３のレコード項目として構成することとしてもよい。
【００６０】
また、精算機４００は、遊技店の会員に対して配布される会員カードや、非会員の遊技客が利用する一般カードに対応付けられたプリペイド残額に応じた貨幣を払い出す装置である。また、景品管理機５００、カード処理機６００、景品払出機７００といった各装置は、会員の入会手続きや景品交換などを受け付ける店内カウンタなどに配置される。
【００６１】
次に、図２に示した貸出処理機である台間装置１０ａおよび再プレイ機１０ｂについて、さらに詳細に説明する。図３は、貸出処理機の外観図である。なお、同図では、貸出処理機の特徴を説明するために必要な構成のみを示しており、装置の外観や構成部品の形状などを限定するものではない。
【００６２】
また、同図の（Ａ）には、台間装置１０ａの外観図を、同図の（Ｂ）には、再プレイ機１０ｂの外観図を、それぞれ示している。なお、同図の（Ａ）には、台間装置１０ａが併設された遊技台１００を破線で示している。
【００６３】
図３の（Ａ）に示すように、台間装置１０ａは、台間装置１０ａの装置状態を所定色のランプの点灯あるいは点滅で表示する状態表示部５１ａと、遊技媒体貸し出しのための各種紙幣を受け付ける紙幣挿入部５２ａと、遊技店の従業員が携帯するリモコン（携帯端末装置）からの指示を受け付けるリモコン受光部５３ａとを備えている。また、台間装置１０ａは、ディスプレイなどの表示部、テンキー、情報ボタンおよび再プレイボタンといった操作部を含んだ操作・表示部５４ａとを備えている。
【００６４】
また、台間装置１０ａは、パチンコ玉などの遊技媒体を払い出すノズルを備えた払出部５５ａと、携帯電話などの携帯端末装置とのデータ送受信を行うリーダライタ部５６ａとを備えている。なお、払出部５５ａについては、ノズルを備えないタイプのものを備えることとしてもよい。また、リーダライタ部５６ａ／携帯端末装置間の通信手段は特に限定する必要はなく、たとえば非接触ＩＣチップを用いることとしてもよいし、赤外線通信を用いることとしてもよい。
【００６５】
さらに、台間装置１０ａは、会員カードなどのカード状記録媒体を受け付けるとともに、貯玉などが関連付けられたカード状記録媒体の返却口でもあるカード挿入部５７ａと、遊技客の獲得した遊技媒体である持玉を計数する計数部５８ａとを備えている。
【００６６】
なお、図３の（Ａ）では、玉貸機能（払出部５５ａ）と各台計数機能（計数部５８ａ）とを兼ね備える台間装置１０ａについて示しているが、玉貸機能を有する第１の台間装置（ＣＲユニット）と、各台計数機能を有する第２の台間装置（計数サンド）とを併設するシステム（ダブルサンド方式）を採用してもよい。
【００６７】
また、図３の（Ｂ）に示すように、再プレイ機１０ｂは、会員カードなどのカード状記録媒体を受け付けるとともに、貯玉などが関連付けられたカード状記録媒体の返却口でもあるカード挿入部５７ｂと、ディスプレイなどの表示部、テンキー、情報ボタンおよび再プレイボタンといった操作部を含んだ操作・表示部５４ｂと、携帯電話などの携帯端末装置とのデータ送受信を行うリーダライタ部５６ｂとを備えている。また、再プレイ機１０ｂは、パチンコ玉などの遊技媒体を払い出す払出部５５ｂと、払い出された遊技媒体の収納箱の受け台５９ｂとを備えている。
【００６８】
ここで、図３の（Ａ）に示した操作・表示部５４ａおよび同図の（Ｂ）に示した操作・表示部５４ｂについては、構成部品を限定する必要はない。したがって、指やポインティングデバイスなどの押圧感知により入力を受け付け、かつ表示出力も兼ねるタッチパネル式の液晶ディスプレイなどを用いることとしてもよい。また、簡素な表示出力を行う７セグメントＬＥＤなどを表示部品として用いることとしてもよい。
【００６９】
次に、本実施例に係る管理装置２００の構成について図４を用いて説明する。図４は、管理装置２００の構成を示すブロック図である。なお、同図には、管理装置２００の特徴を説明するために必要な構成要素のみを示しており、一般的な構成要素についての記載を省略している。
【００７０】
まず、管理装置２００の構成について説明する。同図に示すように、管理装置２００は、入力・表示部２０１と、制御部２０２と、記憶部２０３とを備えている。また、制御部２０２は、再プレイ情報登録部２０２ａと、再プレイ手数料率算出部２０２ｂと、景品交換手数料率算出部２０２ｃと、損益比較部２０２ｄと、試算画面生成部２０２ｅと、再プレイ情報更新部２０２ｆとをさらに備えている。また、記憶部２０３は、口座別再プレイ情報２０３ａと、単価情報２０３ｂと、実績情報２０３ｃとを記憶する。
【００７１】
入力・表示部２０１は、管理装置２００に対する操作を受け付けるキーボードやマウスなどの入力デバイスと、各種情報を表示するディスプレイなどの出力デバイスとから構成される。
【００７２】
ここで、入力・表示部２０１は、たとえば、設定者が行う口座別再プレイ情報２０３ａの登録や更新といった指示入力操作を受け付け、受け付けた指示内容を再プレイ情報登録部２０２ａあるいは再プレイ情報更新部２０２ｆに対して出力する。また、入力・表示部２０１は、試算画面生成部２０２ｅが生成した試算画面を出力デバイスに対して出力する。
【００７３】
制御部２０２は、口座別再プレイ情報２０３ａの登録、再プレイ手数料率および景品交換手数料率の算出、損益の比較、試算画面の生成および表示、試算画面からの口座別再プレイ情報２０３ａの更新といった処理を行う処理部である。
【００７４】
再プレイ情報登録部２０２ａは、入力・表示部２０１から入力した口座別再プレイ情報２０３ａの登録についての指示内容を受け付け、口座別再プレイ情報２０３ａへ口座ごとの再プレイに関する情報を登録する処理を行う処理部である。
【００７５】
ここで、再プレイ情報登録部２０２ａが行う再プレイ情報登録処理の詳細について、図５を用いて説明する。図５は、再プレイ情報登録部２０２ａにおける再プレイ情報登録処理を説明するための図である。なお、同図の（Ａ）には、単価情報２０３ｂの設定例を、同図の（Ｂ）には、再プレイ情報登録画面の例を、同図の（Ｃ）には、口座別再プレイ情報２０３ａの設定例を、それぞれ示している。
【００７６】
同図の（Ａ）に示すように、単価情報２０３ｂには、あらかじめ口座ごとの単価に関する情報を設定することができる。なお、同図の（Ａ）に示すように、単価情報２０３ｂは、「単価」項目と、「特殊景品交換率」項目とを含んだ情報である。
【００７７】
ここで、「単価」項目は、口座ごとの貸出レートが格納される項目である。また、「特殊景品交換率」項目は、口座ごとの特殊景品交換率が格納される項目である。たとえば、同図の（Ａ）に示した例では、口座１は、４円レートの口座であり、特殊景品交換率が１００％（等価交換）であることを示している。また、口座２は、１円レートの口座であり、特殊景品交換率が５０％であることを示している。
【００７８】
なお、本実施例では、口座１および口座２の単価に関する設定が、同図の（Ａ）に示した設定と同一であるものとして説明を行う。また、同図の（Ａ）には、「単価」項目と、「特殊景品交換率」項目とを含む例を示しているが、「単価」項目を「売単価」項目と「買単価」項目とに分けることとしたうえで、貸出レートを「売単価」項目へ、交換レートを「買単価」項目へ、それぞれ格納することとしてもよい。
【００７９】
そして、再プレイ情報登録部２０２ａは、かかる単価情報２０３ｂへ設定された口座を乗り入れ元口座とした場合の再プレイ情報を、乗り入れ先口座別に登録する。ここで、かかる登録には、同図の（Ｂ）に示したような、「再プレイ情報登録画面」を用いることができる。なお、同図の（Ｂ）に示した、数値を矩形で囲んだ項目は、かかる項目が入力項目であることを示している。
【００８０】
具体的には、「再プレイ情報登録画面」では、再プレイ情報として、乗り入れ先口座のそれぞれにおける「払出単位」や「手数料」を個別に登録することができる。なお、各項目は、玉数ベースによる入力であるものとする。
【００８１】
たとえば、同図の（Ｂ）には、乗り入れ元口座が４円レートの口座１である場合で、乗り入れ先口座が同口座１である（４円レートで再プレイを行う）場合には、払出単位を「２５０玉」とし、手数料を「０玉」とする入力を行った例を示している。また、乗り入れ元口座が口座１である場合で、乗り入れ先口座が１円レートの口座２である（１円レートで再プレイを行う）場合には、払出単位を「２５０玉」とし、手数料を「２５玉」とする入力を行った例を示している。
【００８２】
また、乗り入れ元口座が口座２である場合で、乗り入れ先口座が口座１である場合には、払出単位を「２５０玉」とし、手数料を「５０玉」とする入力を行った例を示している。さらに、乗り入れ元口座が口座２である場合で、乗り入れ先口座も同口座２である場合には、払出単位を「２５０玉」とし、手数料を「０玉」とする入力を行った例を示している。
【００８３】
なお、同図の（Ｂ）に示した例では、「払出単位」や「手数料」を入力項目とする場合を示しているが、「単価」や「特殊景品交換率」を入力項目とすることとしてもよい。また、再プレイ情報の入力項目として、乗り入れの可否を登録する「乗入可否」項目や、１日あたりに再プレイ可能な上限玉数を登録する「上限玉数」項目などを含むこととしてもよい。かかる点の詳細については、図１０を用いて後述する。
【００８４】
そして、再プレイ情報登録部２０２ａは、設定者が「再プレイ情報登録画面」の「登録」ボタンを押下したタイミングで、各入力項目に入力された入力値を、口座別再プレイ情報２０３ａへ登録する。
【００８５】
同図の（Ｃ）に示すように、口座別再プレイ情報２０３ａは、乗り入れ元口座ごとの再プレイに関する情報であり、「再プレイ情報登録画面」（同図の（Ｂ）参照）の入力項目である「払出単位」項目および「手数料」項目を含んだ情報である。
【００８６】
そして、かかる「払出単位」項目および「手数料」項目は、乗り入れ先口座別に設けられる。なお、同図の（Ｃ）には、同図の（Ｂ）に示した「再プレイ情報登録画面」の各入力値が、再プレイ情報登録部２０２ａの対応する各項目へそれぞれ登録された例を示している。
【００８７】
図４の説明に戻り、再プレイ手数料率算出部２０２ｂについて説明する。再プレイ手数料率算出部２０２ｂは、口座別再プレイ情報２０３ａに含まれる「払出単位」項目および「手数料」項目の格納値に基づき、乗り入れ元口座ごとの再プレイ手数料率を、乗り入れ先口座別に算出する処理を行う処理部である。
【００８８】
また、再プレイ手数料率算出部２０２ｂは、「払出単位」項目および「手数料」項目の格納値と、算出した再プレイ手数料率とを、損益比較部２０２ｄに対して出力する処理を併せて行う。
【００８９】
景品交換手数料率算出部２０２ｃは、単価情報２０３ｂに含まれる「単価」項目および「特殊景品交換率」項目の格納値に基づき、乗り入れ元口座ごとの景品交換手数料率を算出する処理を行う処理部である。
【００９０】
また、景品交換手数料率算出部２０２ｃは、「単価」項目および「特殊景品交換率」項目の格納値と、算出した景品交換手数料率とを、損益比較部２０２ｄに対して出力する処理を併せて行う。
【００９１】
ここで、再プレイ手数料率と景品交換手数料率との関連について、図６を用いて説明しておく。図６は、再プレイ手数料率と景品交換手数料率との関連を説明するための図である。なお、同図の（Ａ）には、再プレイ手数料率の算出式を、同図の（Ｂ）には、景品交換手数料率の算出式を、同図の（Ｃ）には、再プレイ手数料率が景品交換手数料率より大きい場合を、同図の（Ｄ）には、再プレイ手数料率が景品交換手数料率より小さい場合を、それぞれ示している。
【００９２】
同図の（Ａ）に示すように、再プレイ手数料率は、手数料を引落数で除することによって算出することができる（再プレイ手数料率＝手数料／引落数）。ここで、引落数は、払出単位＋手数料とあらわすことができるので、再プレイ手数料率＝手数料／（払出単位＋手数料）となる。なお、ここにいう「手数料」および「払出単位」は、上述した口座別再プレイ情報２０３ａに含まれる「手数料」項目および「払出単位」項目の格納値である。
【００９３】
また、同図の（Ｂ）に示すように、景品交換手数料率は、「１」から特殊景品交換率を差し引くことによって算出することができる（景品交換手数料率＝１−特殊景品交換率）。なお、ここにいう「１」は、特殊景品などへ交換する貯玉などの価値全体を指す。
【００９４】
そして、このようにして算出した再プレイ手数料率および景品交換手数料率の大小関係によって、口座別再プレイ情報２０３ａに登録されている手数料が、乗り入れが行われた場合に遊技店側にとって有利な設定であるか否かを判定することができる。
【００９５】
具体的には、同図の（Ｃ）に示すように、再プレイ手数料率が景品交換手数料率より大きい場合に乗り入れが行われた場合、遊技店側にとっては有利な再プレイ手数料設定がなされていることになる。
【００９６】
たとえば、４円レートの口座１の景品交換手数料率が０％であり、かかる口座１から１円レートの口座２へ乗り入れる場合の再プレイ手数料率が１０％である場合（すなわち、同図の（Ｃ）に示す「再プレイ手数料率＞景品交換手数料率」の場合）について説明する。
【００９７】
この場合に、口座１の貯玉１０００玉を口座２（１円コーナー）へ乗り入れた場合、遊技店側が得られる手数料（再プレイ手数料）は４００円（１０００玉×４円×１０％）となる。これに対し、口座１の貯玉１０００玉を換金したうえで１円レートによる遊技媒体の貸し出しを受けた場合、遊技店側が得られる手数料（景品交換手数料）は、０円（１０００玉×４円×０％）となる。つまり、乗り入れが行われた場合、得られる手数料は多くなるため、遊技店側にとっては有利な結果となる。
【００９８】
また、同図の（Ｄ）に示すように、再プレイ手数料率が景品交換手数料率より小さい場合に乗り入れが行われた場合、遊技店側にとっては不利な再プレイ手数料設定がなされていることになる。
【００９９】
たとえば、１円レートの口座２の景品交換手数料率が５０％であり、かかる口座２から４円レートの口座１へ乗り入れる場合の再プレイ手数料率が２０％である場合（すなわち、同図の（Ｄ）に示す「再プレイ手数料率＜景品交換手数料率」の場合）について説明する。
【０１００】
この場合に、口座２の貯玉１０００玉を口座１（４円コーナー）へ乗り入れた場合、遊技店側が得られる手数料（再プレイ手数料）は２００円（１０００玉×１円×２０％）となる。これに対し、口座２の貯玉１０００玉を換金したうえで４円レートによる遊技媒体の貸し出しを受けた場合、遊技店側が得られる手数料（景品交換手数料）は、５００円（１０００玉×１円×５０％）となる。つまり、乗り入れが行われた場合、得られる手数料は少なくなるため、遊技店側にとっては不利な結果となる。
【０１０１】
図４の説明に戻り、損益比較部２０２ｄについて説明する。損益比較部２０２ｄは、再プレイ手数料率算出部２０２ｂから入力した再プレイ手数料率と、景品交換手数料率算出部２０２ｃから入力した景品交換手数料率とを比較して、口座別再プレイ情報２０３ａに登録されている再プレイ手数料（「手数料」）が、乗り入れが行われた場合に遊技店側にとって有利であるか否かを判定する処理を行う処理部である。
【０１０２】
なお、かかる判定は、乗り入れ元口座と乗り入れ先口座とのすべての組み合わせについて行われるものとする。また、損益比較部２０２ｄは、判定結果に基づき、遊技店側が有利である場合にはかかる旨を明示するように試算画面生成部２０２ｅに対して指示する処理を併せて行う。同様に、遊技店側が不利である場合にはかかる旨を明示するように試算画面生成部２０２ｅに対して指示する処理を併せて行う。
【０１０３】
また、損益比較部２０２ｄは、再プレイ手数料率算出部２０２ｂおよび景品交換手数料率算出部２０２ｃから入力したすべての入力値を、試算画面生成部２０２ｅに対して出力する処理を併せて行う。
【０１０４】
試算画面生成部２０２ｅは、損益比較部２０２ｄから入力したすべての入力値に基づき、乗り入れ元口座に所定数の貯玉がある場合の再プレイ可能数および交換後貸出可能数を試算したうえで、試算結果を表示する試算画面を生成する処理を行う処理部である。また、試算画面生成部２０２ｅは、生成した試算画面を入力・表示部２０１に対して出力する処理を併せて行う。
【０１０５】
また、試算画面生成部２０２ｅは、入力・表示部２０１に対して出力された試算画面から再プレイ手数料率の更新指示を受け付ける場合に、実績情報２０３ｃを参照したうえで入力支援画面を生成するなどして、設定者を入力支援する処理を併せて行う。
【０１０６】
再プレイ情報更新部２０２ｆは、入力・表示部２０１に対して出力された試算画面から再プレイ手数料率の更新指示を受け付けた場合に、受け付けた更新指示に基づいて口座別再プレイ情報２０３ａの更新を行う処理部である。また、再プレイ情報更新部２０２ｆは、受け付けた更新指示に基づき、試算画面の更新指示を試算画面生成部２０２ｅに対して出力する処理を併せて行う。
【０１０７】
ここで、試算画面の詳細な表示例について、図７を用いて説明する。図７は、試算画面の表示例を示す図である。なお、同図には、図５に示した単価情報２０３ｂおよび口座別再プレイ情報２０３ａに基づき、各乗り入れ元口座に１０００玉の貯玉がある場合の「再プレイ可能数」および「交換後貸出可能数」を、乗り入れ先口座別に試算した試算結果を表示した例を示している。
【０１０８】
図７の（１）に示すように、「乗り入れ手数料試算画面（口座１←→口座２）」には、乗り入れ元口座を口座１、口座２とした場合のそれぞれについて、再プレイ手数料率、再プレイ可能数および交換後貸出可能数を、乗り入れ先口座別に表示している。
【０１０９】
なお、同図の（１）には、数値を矩形で囲んだ項目を、入力可能な入出力項目として示している。すなわち、同画面を用いて更新することができるのは、「再プレイ手数料率」項目である。
【０１１０】
また、同図の（１）には、乗り入れ元口座が口座２であり、乗り入れ先口座が口座１である場合の「再プレイ手数料率」である「１６．７％」と、同じく乗り入れ元口座が口座２であり、乗り入れ先口座が口座２である場合の「再プレイ手数料率」である「０％」とが、それぞれ点滅表示している場合を示している。
【０１１１】
これは、かかる乗り入れパターンで乗り入れを行った場合の再プレイ手数料率が、遊技店側にとって不利な設定である点を強調して明示するものである。そして、設定者は、かかる点滅表示を視認することで再プレイ手数料率の見直しを図ることができるため、設定ミスを防止することができる。
【０１１２】
なお、同図の（１）では、点滅表示する場合を示しているが、文字色によって遊技店側にとって有利であるか否かを表示し分けることとしてもよい。かかる点について、同図の（１）´を用いて説明する。なお、同図の（１）´は、同図の（１）に示した破線の閉曲線４に囲まれた表示区画を簡略化して示したものである。
【０１１３】
たとえば、同図の（１）´に示すように、乗り入れを行った場合に遊技店側にとって不利な再プレイ手数料率が設定されていれば、再プレイ手数料率である「Ａ％」を赤色表示することができる。一方、遊技店側にとって有利な再プレイ手数料率が設定されていれば、「Ａ％」を青色表示することができる。なお、このように文字色を切り換えるのではなく、表示領域の背景色を切り換えるようにしてもよい。
【０１１４】
ここで、同図の（１）´に示すように、乗り入れを行った場合に遊技店側にとって有利であるか否かは、再プレイ可能数である「ａ」と、交換後貸出可能数である「ｂ」との大小関係によって見分けることができる。なぜなら、再プレイ可能数と交換後貸出可能数との比較と、再プレイ手数料率と景品交換手数料率との比較（図６参照）は同義であるからである。ただし、不等号の向きは逆向きとなる。
【０１１５】
したがって、図７の（１）´に示すように、「ａ＞ｂ」の関係にある場合には、「Ａ％」を赤色表示とすることができる。また、「ａ＜ｂ」の関係にある場合には、「Ａ％」を青色表示とすることができる。なお、図示しないが、「ａ＝ｂ」の関係にある場合には、「Ａ％」を緑色表示などにすることとしてもよい。
【０１１６】
次に、設定者が、破線の閉曲線４で囲まれた表示区画（同図の（１）参照）の「再プレイ手数料率」項目を「１６．７％」から「５０％」へ変更したうえで、「乗り入れ手数料試算画面（口座１←→口座２）」が備える「更新」ボタンを押下した後の表示例について、同図の（２）を用いて説明する。
【０１１７】
かかる場合、同図の（２）に示すように、「乗り入れ手数料試算画面（口座１←→口座２）」では、再プレイ手数料率の変更によって更新される表示項目を強調して明示することができる。たとえば、同図の（２）には、乗り入れ元口座が口座２であり、乗り入れ先口座が口座１である場合の「再プレイ可能数」を、「２０８玉」から「１２５玉」へと更新したうえで太枠の矩形で囲むことで強調した例を示している。
【０１１８】
また、かかる再プレイ可能数は、「１２５玉」となることで交換後貸出可能数と等しくなるため、「再プレイ手数料率」項目の点滅表示を取り消すことができる。なお、再プレイ手数料率に変更を加えていない、乗り入れ元口座が口座２であり、乗り入れ先口座が口座２である場合の「再プレイ手数料率」項目の点滅表示は継続される。
【０１１９】
なお、図７を用いた説明では、各乗り入れ元口座に所定数の貯玉がある場合の「再プレイ可能数」および「交換後貸出可能数」を、乗り入れ先口座別に試算した「乗り入れ手数料試算画面（口座１←→口座２）」について説明したが、図１の（４）に示した「乗り入れ手数料試算画面（口座２→口座１）」のように、乗り入れパターンごと（図７の破線の閉曲線４に囲まれた部分参照）に試算画面を生成することとしてもよい。
【０１２０】
ところで、図７を用いた説明では、各項目の表示について強調して明示する工夫を施すことで、設定者の設定ミスを防止する場合について説明したが、再プレイ手数料率を入力する際の入力支援を行うことで設定ミスを防止することとしてもよい。
【０１２１】
そこで、再プレイ手数料率を入力する際の入力支援を行う場合について、図８を用いて説明する。図８は、再プレイ手数料率を入力する際の入力支援例を示す図である。なお、同図の（Ａ）には、スライダーバー８１を用いた入力支援例を、同図の（Ｂ）には、過去の設定と売上の実績に基づく場合について、同図の（Ｃ）には、イベント情報に基づく場合について、それぞれ示している。また、同図の（Ａ）〜（Ｃ）に示す例では、「決定」ボタン８２の押下によって入力が確定するものとする。
【０１２２】
また、同図の（Ａ）〜（Ｃ）に示す各入力支援画面は、設定者が、図７に示した「乗り入れ手数料試算画面（口座１←→口座２）」の各入力項目を選択した場合に、ポップアップ表示などによって表示されるものとする。
【０１２３】
たとえば、同図の（Ａ）に示すように、設定者にスライダーバー８１を図中の矢印方向へ操作させることで、再プレイ手数料率を設定させることとしてもよい。また、かかる場合には、同図の（Ａ）に示すように、再プレイ手数料率の比較対象である現在の景品交換手数料率を指標線として表示したうえで（同図の（Ａ）の「５０％」ライン参照）、遊技店側が有利であるか否かのガイダンス（同図の（Ａ）の＜店側有利＞および＜客側有利＞参照）などを表示することとしてもよい。
【０１２４】
また、同図の（Ｂ）に示すように、前々回、前回などの過去の再プレイ手数料率の設定実績（同図の（Ｂ）の「３０％」および「４０％」参照）と、かかる設定における売上実績を売上グラフなどで表示して、入力項目８３に入力する数値の指標を与えることとしてもよい。なお、過去の設定実績や売上実績などは、記憶部２０３の実績情報２０３ｃに対してあらかじめ格納されているものとする（図４参照）。
【０１２５】
また、図８の（Ｃ）に示すように、遊技店で開催されるイベント情報などに基づいて再プレイ手数料率の設定推奨値を、「イベント実施日につき、３０％以下推奨」のようにガイダンス表示することとしてもよい。たとえば、イベントによっては遊技店側が不利な設定をあえて行う場合もありうるため、かかる場合には、ガイダンス表示にしたがって入力項目８３を入力させることとすればよい。
【０１２６】
ところで、図７から図８を用いた説明では、表示された試算画面を用いて再プレイ手数料率の更新が可能である場合について説明したが、試算画面生成部２０２ｅが、設定者の確認を支援する確認画面を生成することとしてもよい。
【０１２７】
そこで、試算画面生成部２０２ｅが生成する確認画面の例について、図９を用いて説明する。図９は、乗り入れ元口座の引落数を確認する引落数確認画面の例を示す図である。なお、同図には、図５に示した単価情報２０３ｂおよび口座別再プレイ情報２０３ａに基づき、乗り入れ元口座ごとの「払出１回ごとの引落数（＝払出数＋手数料）」および「手数料」を、乗り入れ先口座別に算出した算出結果を表示した例を示している。
【０１２８】
図９に示すように、「引落数確認画面」には、乗り入れ元口座ごとの、再プレイ手数料率、払出１回ごとの引落数（＝払出数＋手数料）および手数料を、乗り入れ先口座別に表示することができる。たとえば、同図に示した例では、乗り入れ元口座を口座１とし、乗り入れ先口座を口座１とした場合には、払出１回ごとに「２５０玉」が手数料無料で口座１から引き落とされることが確認できる。
【０１２９】
また、乗り入れ元口座を口座１とし、乗り入れ先口座を口座２とした場合には、払出１回ごとに「６９玉」が口座１から引き落とされ、その内の手数料分が「６玉」であることが確認できる。なお、かかる「６玉」（≒（９．１％×２５０玉／４）／（１−９．１％））のように本来は端数が出る玉数については、同図に示したように、切り上げ表示することとすればよい。
【０１３０】
また、同図に示すように、乗り入れ元口座を口座２とし、乗り入れ先口座を口座１とした場合には、払出１回ごとに「１２００玉」が口座２から引き落とされ、その内の手数料分が「２００玉」（≒（１６．７％×２５０玉×４）／（１−１６．７％））であることが確認できる。同様に、乗り入れ元口座を口座２とし、乗り入れ先口座を口座２とした場合には、払出１回ごとに「２５０玉」が手数料無料で口座２から引き落とされることが確認できる。
【０１３１】
そして、設定者は、乗り入れを行う遊技客から引落数についての問い合わせがあった場合などに、かかる「引落数確認画面」によって引落数を確認し、ホールスタッフを通じて問い合わせへの回答を行うことができる。すなわち、複数レート運用によって複雑化した乗り入れに関する情報への問い合わせなどに迅速に対応することが可能となる。
【０１３２】
図４の説明に戻り、記憶部２０３について説明する。記憶部２０３は、ハードディスクドライブや不揮発性メモリといった記憶デバイスで構成される記憶部であり、口座別再プレイ情報２０３ａと、単価情報２０３ｂと、実績情報２０３ｃとを記憶する。
【０１３３】
口座別再プレイ情報２０３ａは、乗り入れ元口座ごとに、再プレイに関する情報を乗り入れ先口座別に登録した情報である。なお、かかる口座別再プレイ情報２０３ａの詳細については上述したため（図５参照）、ここでの記載を省略する。
【０１３４】
単価情報２０３ｂは、口座ごとのレートに関する情報であり、貸出レートや特殊景品交換率などを含む。なお、かかる単価情報２０３ｂの詳細についても上述したため（図５参照）、ここでの記載を省略する。
【０１３５】
実績情報２０３ｃは、試算画面における入力支援に関連する情報であり、試算画面生成部２０２ｅによって参照される。なお、かかる実績情報２０３ｃの詳細についても上述したため（図８参照）、ここでの記載を省略する。
【０１３６】
なお、図４では図示していないが、管理装置２００は、貸出処理機である台間装置１０ａあるいは再プレイ機１０ｂとの通信を店舗内ＬＡＮ２０経由で行う通信デバイスを備えている（図２参照）。
【０１３７】
そして、管理装置２００は、かかる通信デバイスを通じて各貸出処理機から再プレイの乗り入れ要求を受け付けた場合には、口座別再プレイ情報２０３ａに基づいて該当する乗り入れパターンの再プレイ情報を各貸出処理機に対して通知する。あるいは、各貸出処理機の稼動開始時に、口座別再プレイ情報２０３ａを各貸出処理機へ配信することとしてもよい。
【０１３８】
ところで、これまでは、口座別再プレイ情報２０３ａに「払出単位」や「手数料」が含まれる場合について主に説明したが、口座別再プレイ情報２０３ａには、他の再プレイに関する情報を含むことができる。そこで、他の再プレイに関する情報を含む口座別再プレイ情報２０３ａの変形例について、図１０を用いて説明する。
【０１３９】
図１０は、口座別再プレイ情報２０３ａの変形例を示す図である。なお、同図を用いた説明では、図５の（Ｃ）に示した口座別再プレイ情報２０３ａとの差異点について主に説明することとし、「払出単位」項目や「手数料」項目については説明を省略するか、必要最小限にとどめるものとする。
【０１４０】
図１０に示すように、変形例に係る口座別再プレイ情報２０３ａは、「乗入可否」項目と、「上限玉数」項目と、「手数料無料」項目とを含んだ情報である。
【０１４１】
ここで、「乗入可否」項目は、乗り入れパターンごとに、乗り入れが可能であるか否かのフラグ値が格納される項目である。なお、同図では、乗り入れが可能である場合のフラグ値を「○」印で、乗り入れが不可である場合のフラグ値を「×」印で、それぞれ示している。
【０１４２】
たとえば、同図に示した例では、乗り入れ元口座を口座２とし、乗り入れ先口座を口座１とした場合の乗り入れが行えないことを示している。また、それ以外の乗り入れパターンについては、乗り入れが行えることを示している。また、乗り入れが行えない場合には、他の項目の格納値を省略することができる（同図の「−」印参照）。なお、図示しないが、「乗入可否」項目に対して乗り入れの優先順位を設定してもよい。かかる場合、たとえば、乗り入れ先口座として口座１を第１優先、口座２を第２優先と設定するのであれば、口座１の「乗入可否」項目へ「１」を、口座２の「乗入可否」項目へ「２」を、それぞれ格納することとすればよい。また、乗り入れを不可とする場合には、たとえば、「０」を格納してもよい。
【０１４３】
「上限玉数」項目は、１日あたりに再プレイ可能な玉数が格納される項目である。また、「手数料無料」項目は、再プレイ手数料がかからない玉数が格納される項目である。なお、同図では、上限玉数あるいは手数料がかからない玉数が無制限である場合の玉数を「ａｌｌ」で示している。
【０１４４】
たとえば、同図に示した例では、乗り入れ元口座を口座１とし、乗り入れ先口座を口座１とした場合の乗り入れは、上限玉数および手数料無料分の玉数が無制限であることを示している。
【０１４５】
また、乗り入れ元口座を口座１とし、乗り入れ先口座を口座２とした場合の乗り入れは、上限玉数が「２５００玉」であり、手数料無料分の玉数が「２５０玉」であることを示している。したがって、かかる乗り入れパターンでは、手数料無料分の「２５０玉」が払い出された後は、「２５０玉」の払出単位ごとに「５０玉」の手数料がかかることになる。
【０１４６】
また、乗り入れ元口座を口座２とし、乗り入れ先口座を口座２とした場合の乗り入れは、上限玉数が無制限であるが、手数料無料分の玉数が「５００玉」であることを示している。また、かかる乗り入れパターンでは、手数料無料分の「５００玉」が払い出された後は、「２５０玉」の払出単位ごとに「１２５玉」の手数料がかかることがわかる。
【０１４７】
そして、管理装置２００は、各貸出処理機から再プレイの乗り入れ要求を受け付けた場合には、変形例に係る口座別再プレイ情報２０３ａに含まれる「乗入可否」項目、「上限玉数」項目および「手数料無料」項目の各格納値を各貸出処理機に対して通知することとすればよい。
【０１４８】
そして、各貸出処理機は、かかる通知に応じて遊技客へ報知を行うこととすればよい。たとえば、貸出処理機が、台間装置１０ａであれば操作・表示部５４ａ（図３参照）に対して、再プレイ機１０ｂであれば、操作・表示部５４ｂ（図３参照）に対して、それぞれ上限玉数や手数料無料分の玉数などを表示することができる。
【０１４９】
これにより、複数レート運用によって複雑化した再プレイの乗り入れに関する情報を、乗り入れパターンごとに遊技客へ的確に報知することが可能となり、遊技客の利便性を高め、遊技店の稼働率の向上を図ることができる。
【０１５０】
次に、管理装置２００が実行する処理手順について、図１１を用いて説明する。図１１は、本実施例に係る管理装置２００が実行する処理手順を示すフローチャートである。
【０１５１】
図１１に示したように、再プレイ情報登録部２０２ａは、設定者による入力指示操作に基づき、口座別再プレイ情報２０３ａの登録を行う（ステップＳ１０１）。そして、再プレイ手数料率算出部２０２ｂが、登録された口座別再プレイ情報２０３ａに基づいて口座ごとの再プレイ手数料率を算出する（ステップＳ１０２）。
【０１５２】
また、景品交換手数料率算出部２０２ｃが、単価情報２０３ｂに基づいて口座ごとの景品交換手数料率を算出する（ステップＳ１０３）。そして、損益比較部２０２ｄは、再プレイ手数料率が景品交換手数料率を上回っているか否かを判定し（ステップＳ１０４）、上回っている場合には（ステップＳ１０４，Ｙｅｓ）、乗り入れが行われた場合に遊技店側が有利な再プレイ手数料率の設定である旨を強調して明示するように指示する（ステップＳ１０５）。
【０１５３】
また、ステップＳ１０４の判定条件を満たさなかった場合には（ステップＳ１０４，Ｎｏ）、損益比較部２０２ｄは、再プレイ手数料率が景品交換手数料率を下回っているか否かを判定し（ステップＳ１０６）、下回っている場合には（ステップＳ１０６，Ｙｅｓ）、遊技店側が不利な再プレイ手数料率の設定である旨を強調して明示するように指示する（ステップＳ１０７）。また、ステップＳ１０６の判定条件を満たさなかった場合には（ステップＳ１０６，Ｎｏ）、損益比較部２０２ｄは、強調して明示する指示を行わない（ステップＳ１０８）。
【０１５４】
つづいて、試算画面生成部２０２ｅが、試算画面の生成および表示を行う（ステップＳ１０９）。そして、再プレイ情報更新部２０２ｆが、表示された試算画面から再プレイ手数料率の更新指示操作があったか否かを判定する（ステップＳ１１０）。
【０１５５】
ここで、更新指示操作があったと判定された場合には（ステップＳ１１０，Ｙｅｓ）、再プレイ情報更新部２０２ｆは、更新指示内容に基づいて口座別再プレイ情報２０３ａの更新を行ったうえで（ステップＳ１１１）、処理を終了する。なお、ステップＳ１１０の判定条件を満たさなかった場合には（ステップＳ１１０，Ｎｏ）、そのまま処理を終了する。
【０１５６】
ところで、これまでは、再プレイ手数料などの再プレイに関する情報を玉数ベースで管理する場合について説明してきたが、率ベースで管理することとしもよい。具体的には、口座別再プレイ情報２０３ａへ玉数ベースでなく再プレイ手数料率を格納することとし、損益比較部２０２ｄは、かかる口座別再プレイ情報２０３ａの再プレイ手数料率と景品交換手数料率算出部２０２ｃから入力した景品交換手数料率とを比較することとすればよい。したがって、かかる場合には、再プレイ手数料率算出部２０２ｂを省略して管理装置２００を構成することができる。
【０１５７】
上述してきたように、本実施例では、記憶部が、乗り入れ元口座ごとの再プレイに関する情報を乗り入れ先口座別に記憶し、再プレイ手数料率算出部が、再プレイ手数料率を算出し、景品交換手数料率算出部が景品交換手数料率を算出し、損益比較部が、算出された両比率を比較し、試算画面生成部が、かかる比較結果に基づいて再プレイ手数料率の適正を明示した再プレイに関する試算画面を生成するように遊技媒体管理装置を構成した。したがって、複数レート運用における乗り入れを考慮した再プレイ手数料の設定を、設定ミスを防止しつつ適正に行うことができる。
【０１５８】
なお、上述した実施例では、４円レートと１円レートとの複数レート運用を行う場合について説明したが、４円レートと２円レート、２円レートと１円レートのように、任意のレート間運用についても本発明を適用することとしてもよい。また、４円レート、２円レートおよび１円レートのように、３レート以上のレート間運用にも本発明を適用してもよい。
【０１５９】
ところで、上述した実施例では、遊技客が乗り入れ先において遊技媒体を払い出し、実際に乗り入れ先において再プレイを行う場合について説明した。しかし、遊技客が、乗り入れ先において払い出した遊技媒体を、再プレイを行わずにそのまま特殊景品へ交換する場合についても、本発明を適用することができる。
【０１６０】
そこで、かかる場合について、ふたたび図７を用いて説明する。たとえば、４円レートの口座１の特殊景品交換率が１００％（等価交換）、１円レートの特殊景品交換率が５０％であり、再プレイ手数料率については、図７の（１）に示すように、口座２から口座１へ乗り入れる場合には１６．７％、口座２から口座２へ乗り入れる場合には０％であるものとする。
【０１６１】
かかる場合、口座２の貯玉１０００玉を１円レートでそのまま特殊景品へ交換すると、遊技客の手にする交換価値は「５００玉」分の５００円（１０００玉×５０％×１円）である（同図の（１）の口座２から口座２への乗り入れパターンにおける「交換後貸出可能数」参照）。
【０１６２】
これに対し、口座２の貯玉１０００玉を４円コーナーの再プレイ機などで一旦払い出し、再プレイを行うことなく特殊景品へ交換すると、遊技客の手にする交換価値は「２０８玉」分の８３２円（２０８玉×１００％×４円）となる（同図の（１）の口座２から口座１への乗り入れパターンにおける「再プレイ可能数」参照）。
【０１６３】
すなわち、再プレイを行わないという同じ選択をしながら、乗り入れ元口座と異なる口座からの払い出しを介するか否かによって、遊技客の手にする交換価値に不公平さが生じてしまうことになる。
【０１６４】
そこで、かかる場合には、同図の（１）に示した、口座２から口座１への乗り入れパターンにおける再プレイ可能数「２０８玉」と、口座２から口座２への乗り入れパターンにおける交換後貸出可能数「５００玉」とを併せて強調表示することによって、かかる不公平さが生じうる設定である旨を明示すればよい。
【０１６５】
そして、かかる旨を視認した設定者が、不公平さが生じないように、適正な再プレイ手数料率の設定を行うこととすればよい。なお、同図の（２）に示すように、口座２から口座１への乗り入れパターンにおける再プレイ手数料率を「５０％」と更新すれば、同パターンにおける再プレイ可能数「１２５玉」の交換価値は５００円（１２５玉×１００％×４円）となるため、上記した例における不公平さは解消されることとなる。
【産業上の利用可能性】
【０１６６】
以上のように、複数レート運用における乗り入れを考慮した再プレイ手数料の設定を、設定ミスを防止しつつ適正に行いたい場合に有用であり、特に、再プレイ手数料の設定を適正に行うことで遊技店と遊技客間の利益調整を最適化し、売上および稼働率の向上を企図する遊技店のシステムへの適用に適している。
【符号の説明】
【０１６７】
１０ａ  台間装置
１０ｂ  再プレイ機
２０    店舗内ＬＡＮ
５１ａ  状態表示部
５２ａ  紙幣挿入部
５３ａ  リモコン受光部
５４ａ  操作・表示部
５５ａ  払出部
５６ａ  リーダライタ部
５７ａ  カード挿入部
５８ａ  計数部
５４ｂ  操作・表示部
５５ｂ  払出部
５６ｂ  リーダライタ部
５７ｂ  カード挿入部
５９ｂ  受け台
１００    遊技台
２００    管理装置
２０１    入力・表示部
２０２    制御部
２０２ａ  再プレイ情報登録部
２０２ｂ  再プレイ手数料率算出部
２０２ｃ  景品交換手数料率算出部
２０２ｄ  損益比較部
２０２ｅ  試算画面生成部
２０２ｆ  再プレイ情報更新部
２０３    記憶部
２０３ａ  口座別再プレイ情報
２０３ｂ  単価情報
２０３ｃ  実績情報
２１１    単価情報ＤＢ
２１２    再プレイ情報ＤＢ
２１３    貯玉ＤＢ
２１３ａ  ４円貯玉ＤＢ
２１３ｂ  １円貯玉ＤＢ
３００    島コントローラ
３００ａ  ４円コーナー
３００ｂ  １円コーナー
４００    精算機
５００    景品管理機
６００    カード処理機
７００    景品払出機
【図１】
0005558250.tif 000002
【図２】
0005558250.tif 000003
【図３】
0005558250.tif 000004
【図４】
0005558250.tif 000005
【図５】
0005558250.tif 000006
【図６】
0005558250.tif 000007
【図７】
0005558250.tif 000008
【図８】
0005558250.tif 000009
【図９】
0005558250.tif 000010
【図１０】
0005558250.tif 000011
【図１１】
0005558250.tif 000012